(57)【要約】【課題】配下の電話システムでの電話番号設定に誤りがある場合でも、応急的に発信可能とする。【解決手段】呼制御処理部１４が、電話システム２０からの発信要求に応じて、当該発信要求で指定された発側電話番号Ｎｂを用いた発信要求メッセージをＩＰ電話網ＮＷへ送信し、この発信要求メッセージに応じてＩＰ電話網ＮＷから発信拒否メッセージが返送された場合には、記憶部１５から取得した契約電話番号Ｎｃで発側電話番号Ｎｂを補完した発信要求メッセージを生成してＩＰ電話網ＮＷへ送信する。【選択図】  図１
2018166251.tif 000002
【特許請求の範囲】
【請求項１】
既存電話網対応の電話システムをＩＰ電話網に接続するＶｏＩＰゲートウェイ装置であって、
前記ＩＰ電話網から割り当てられた契約電話番号を記憶する記憶部と、
前記電話システムからの発信要求に応じて、当該発信要求で指定された発側電話番号を用いた発信要求メッセージを前記ＩＰ電話網へ送信する呼制御処理部とを備え、
前記呼制御処理部は、前記発信要求メッセージに応じて前記ＩＰ電話網から発信拒否メッセージが返送された場合には、前記記憶部から取得した前記契約電話番号で前記発側電話番号を補完した発信要求メッセージを生成して前記ＩＰ電話網へ送信する第１の処理部を有する
ことを特徴とするＶｏＩＰゲートウェイ装置。
【請求項２】
請求項１に記載のＶｏＩＰゲートウェイ装置において、
前記呼制御処理部は、
前記契約電話番号で補完した前記発側電話番号を誤り発側電話番号として前記記憶部に登録する第２の処理部と、
新たな発信要求メッセージの発側電話番号が前記記憶部に誤り発側電話番号として登録されている場合には、前記契約電話番号で前記発側電話番号を補完した発信要求メッセージを生成して前記ＩＰ電話網へ送信する第３の処理部とをさらに備える
ことを特徴とするＶｏＩＰゲートウェイ装置。
【請求項３】
請求項１または請求項２に記載のＶｏＩＰゲートウェイ装置において、
前記呼制御処理部は、前記契約電話番号で前記発側電話番号を補完した発信要求メッセージを生成する際、発番号の通知不可を前記発信要求メッセージで指定することを特徴とするＶｏＩＰゲートウェイ装置。
【請求項４】
既存電話網対応の電話システムをＩＰ電話網に接続するＶｏＩＰゲートウェイ装置で用いられる発信制御方法であって、
前記ＩＰ電話網から割り当てられた契約電話番号を記憶部で記憶するステップと、
呼制御処理部が、前記電話システムからの発信要求に応じて、当該発信要求で指定された発側電話番号を用いた発信要求メッセージを前記ＩＰ電話網へ送信する呼制御処理ステップとを備え、
前記呼制御処理ステップは、前記発信要求メッセージに応じて前記ＩＰ電話網から発信拒否メッセージが返送された場合には、前記記憶部から取得した前記契約電話番号で前記発側電話番号を補完した発信要求メッセージを生成して前記ＩＰ電話網へ送信するステップを含む
ことを特徴とする発信制御方法。
【発明の詳細な説明】
【技術分野】
【０００１】
本発明は、既存電話網対応の電話システムをＩＰ電話網に接続するＶｏＩＰゲートウェイ装置で用いられる発信制御技術に関する。
【背景技術】
【０００２】
ＩＰ電話網の普及に伴い、各種のＩＰ電話サービスが提供されており、その１つに追加番号サービスがある。この追加番号サービスは、１契約で元々の契約電話番号に加えて、使用可能な電話番号を所定数追加できるサービスである（例えば、非特許文献１など参照）。これにより、ビジネスホンやＰＢＸシステムなどの電話システムに収容される電話端末で、これら電話番号を使い分けることができる。例えば、電話システムを複数のテナントで共用する場合には、テナントごとに異なる電話番号を割り当てて使用することが可能となる。
【０００３】
このようなＩＰ電話サービスを、ＩＳＤＮやＰＳＴＮなどの既存の電話網に対応した電話システムで利用する場合、既存電話網に対応した電話システムをＩＰ電話網に接続するためのＶｏＩＰゲートウェイ装置が必要となる（例えば、非特許文献２など参照）。
このようなＶｏＩＰゲートウェイ装置では、既存電話網のプロトコルと、ＩＰ電話網のＳＩＰなどのプロトコルとを相互に変換することになる。例えば、配下の電話システムの電話端末から発信要求があった場合、その発信要求に含まれる発側電話番号と着側電話番号に基づいて、発信要求メッセージを生成し、ＩＰ電話網へ送信することになる。
【先行技術文献】
【非特許文献】
【０００４】
【非特許文献１】「ひかり電話・追加番号サービス」、NTT東日本株式会社、https://flets.com/hikaridenwa/service/mynumber.html
【非特許文献２】「VoIPゲートウェイ」、NTT東日本株式会社、http://www.ntt-east.co.jp/business/service/product/voip/
【発明の概要】
【発明が解決しようとする課題】
【０００５】
一般に、ＩＰ電話網では、呼制御を行う呼制御サーバにＩＰ電話端末を登録する必要があり、その際、ＩＰ電話端末で用いる発側電話番号も登録する。したがって、ＶｏＩＰゲートウェイ装置では、配下の電話システムを呼制御サーバに登録する際、配下の電話システムで用いる電話番号、例えば追加番号サービスで追加した追加電話番号を登録することになる。また、これら追加電話番号は、配下の電話システムにおいて、対応する電話端末にそれぞれ設定しておく必要がある。
【０００６】
しかしながら、配下の電話システムに設定された電話番号に誤りがあった場合、配下の電話システムから誤った発側電話番号が通知され、これをＶｏＩＰゲートウェイ装置が発信要求メッセージに格納してＩＰ電話網に送信することになる。このため、呼制御サーバで未登録の発側電話番号として判断されて拒否され、発信できなくなるという問題点があった。また、配下の電話システムの電話番号は、専門の工事者により設定されるため、利用者がこの電話番号を容易に設定変更することは困難であり、工事者が再設定するまで発信できない状況が続くことになる。
【０００７】
本発明はこのような課題を解決するためのものであり、配下の電話システムでの電話番号設定に誤りがある場合でも、応急的に発信可能とする発信制御技術を提供することを目的としている。
【課題を解決するための手段】
【０００８】
このような目的を達成するために、本発明にかかるＶｏＩＰゲートウェイ装置は、既存電話網対応の電話システムをＩＰ電話網に接続するＶｏＩＰゲートウェイ装置であって、前記ＩＰ電話網から割り当てられた契約電話番号を記憶する記憶部と、前記電話システムからの発信要求に応じて、当該発信要求で指定された発側電話番号を用いた発信要求メッセージを前記ＩＰ電話網へ送信する呼制御処理部とを備え、前記呼制御処理部は、前記発信要求メッセージに応じて前記ＩＰ電話網から発信拒否メッセージが返送された場合には、前記記憶部から取得した前記契約電話番号で前記発側電話番号を補完した発信要求メッセージを生成して前記ＩＰ電話網へ送信する第１の処理部を有している。
【０００９】
また、本発明にかかる上記ＶｏＩＰゲートウェイ装置の一構成は、前記呼制御処理部が、前記契約電話番号で補完した前記発側電話番号を誤り発側電話番号として前記記憶部に登録する第２の処理部と、新たな発信要求メッセージの発側電話番号が前記記憶部に誤り発側電話番号として登録されている場合には、前記契約電話番号で前記発側電話番号を補完した発信要求メッセージを生成して前記ＩＰ電話網へ送信する第３の処理部とをさらに備えている。
【００１０】
また、本発明にかかる上記ＶｏＩＰゲートウェイ装置の一構成は、前記呼制御処理部が前記契約電話番号で前記発側電話番号を補完した発信要求メッセージを生成する際、発番号の通知不可を前記発信要求メッセージで指定するようにしたものである。
【００１１】
また、本発明にかかる発信制御方法は、既存電話網対応の電話システムをＩＰ電話網に接続するＶｏＩＰゲートウェイ装置で用いられる発信制御方法であって、前記ＩＰ電話網から割り当てられた契約電話番号を記憶部で記憶するステップと、呼制御処理部が、前記電話システムからの発信要求に応じて、当該発信要求で指定された発側電話番号を用いた発信要求メッセージを前記ＩＰ電話網へ送信する呼制御処理ステップとを備え、前記呼制御処理ステップは、前記発信要求メッセージに応じて前記ＩＰ電話網から発信拒否メッセージが返送された場合には、前記記憶部から取得した前記契約電話番号で前記発側電話番号を補完した発信要求メッセージを生成して前記ＩＰ電話網へ送信するステップを含むものである。
【発明の効果】
【００１２】
本発明によれば、電話システムで誤って設定された発側電話番号が、ＶｏＩＰゲートウェイ装置により契約電話番号で自動的に補完された後、発信要求メッセージがＩＰ電話網へ送信されることになる。このため、電話システムで誤った発側電話番号が設定されている場合でも、応急的に発信することが可能となる。
【図面の簡単な説明】
【００１３】
【図１】ＶｏＩＰゲートウェイ装置の構成を示すブロック図である。
【図２】ＶｏＩＰゲートウェイ装置の発信制御動作を示すシーケンス図である。
【発明を実施するための形態】
【００１４】
次に、本発明の実施の形態について図面を参照して説明する。
［第１の実施の形態］
まず、図１を参照して、本発明の第１の実施の形態にかかるＶｏＩＰゲートウェイ装置１０について説明する。図１は、ＶｏＩＰゲートウェイ装置の構成を示すブロック図である。
このＶｏＩＰゲートウェイ装置１０は、ＩＰ電話網ＮＷとは異なる既存電話網対応の電話システム２０をＩＰ電話網ＮＷに接続するゲートウェイ装置である。
【００１５】
電話システム２０は、ビジネスホンやＰＢＸシステムなどの一般的な電話システムからなり、複数の電話端末２２と、これら電話端末２２を通信回線Ｌ２を介してＶｏＩＰゲートウェイ装置１０に交換接続する電話制御装置２１とから構成されている。
呼制御サーバ３０は、ＩＰ電話網ＮＷに接続されている一般的な呼制御サーバである。
【００１６】
［ＶｏＩＰゲートウェイ装置］
ＶｏＩＰゲートウェイ装置１０には、主な機能部として、網Ｉ／Ｆ部１１、専用Ｉ／Ｆ部１２、転送処理部１３、呼制御処理部１４、および記憶部１５が設けられている。これら機能部のうち、転送処理部１３および呼制御処理部１４は、ＣＰＵとプログラムとが協働してなる演算処理部により実現されている。
【００１７】
網Ｉ／Ｆ部１１は、通信回線Ｌ１を介してＩＰ電話網ＮＷとの間で、ＳＩＰなどの呼制御プロトコルに基づく各種メッセージや、ＶｏＩＰに基づく音声データなどをやり取りする機能を有している。
【００１８】
専用Ｉ／Ｆ部１２は、通信回線Ｌ２を介して電話システム２０との間で、ＩＳＤＮやＰＳＴＮなどの既存プロトコルに基づく呼制御メッセージや呼制御信号、音声データや音声信号をやり取りする機能を有している。
【００１９】
転送処理部１３は、網Ｉ／Ｆ部１１と専用Ｉ／Ｆ部１２との間に接続されて、呼制御メッセージや呼制御信号を相互に転送する機能と、音声データや音声信号を相互に変換して転送する機能とを有している。
【００２０】
呼制御処理部１４は、転送処理部１３で転送する呼制御メッセージや呼制御信号を、それぞれの呼制御プロトコルに基づいて相互に変換する機能と、電話システム２０からの発信要求に応じて発信要求メッセージをＩＰ電話網ＮＷに送信した際、発側電話番号誤りによりＩＰ電話網ＮＷで発信拒否された場合には、予め記憶部１５に設定されている契約電話番号で発側電話番号を補完した発信要求メッセージをＩＰ電話網ＮＷに再送信する機能（第１の処理部１４Ａ）とを有している。
【００２１】
記憶部１５は、半導体メモリなどの記憶装置からなり、呼制御処理部１４での呼制御処理に用いる各種処理情報を記憶する機能を有している。記憶部１５で記憶する主な処理情報としては、契約電話番号および追加電話番号などがある。
【００２２】
［第１の実施の形態の動作］
次に、図２を参照して、本実施の形態にかかるＶｏＩＰゲートウェイ装置１０の発信制御動作について説明する。図２は、ＶｏＩＰゲートウェイ装置の発信制御動作を示すシーケンス図である。
ここでは、電話番号Ｎａが、追加番号サービスで追加した正しい追加電話番号であり、電話番号Ｎｂが、電話番号Ｎａを誤って設定した電話番号であり、Ｎｃが元々の契約電話番号である場合を例として説明する。
【００２３】
呼制御サーバ３０には、ＶｏＩＰゲートウェイ装置１０を端末登録した電話番号として、契約電話番号Ｎｃが予め登録されているものとする（ステップ１００）。
また、電話システム２０の電話制御装置２１には、電話番号Ｎｂが任意の電話端末２２の電話番号として設定されているものとする（ステップ１０１）。
【００２４】
一方、ＶｏＩＰゲートウェイ装置１０の呼制御処理部１４は、電話システム２０の各電話端末２２を呼制御サーバ３０に登録する際、正しい電話番号Ｎａの入力に応じて（ステップ１０２）、Ｎａを発側電話番号とする登録要求（Register）を、網Ｉ／Ｆ部１１からＩＰ電話網ＮＷへ送信する。
【００２５】
呼制御サーバ３０は、ＩＰ電話網ＮＷから受信したＶｏＩＰゲートウェイ装置１０からの登録要求に応じて、指定された発側電話番号Ｎａを持つ電話端末を、自己の制御下とする端末登録を行い（ステップ１０４）、登録成功（200OK）を返送する（ステップ１０５）。
【００２６】
その後、電話端末２２から発信要求があった場合（ステップ１１０）、電話制御装置２１は、当該電話端末２２に設定されている、誤った電話番号Ｎｂを発側電話番号とする発信要求を、ＶｏＩＰゲートウェイ装置１０へ送信する（ステップ１１１）。
【００２７】
ＶｏＩＰゲートウェイ装置１０の呼制御処理部１４は、電話制御装置２１からの発信要求を、専用Ｉ／Ｆ部１２を介して受信し、指定された発側電話番号Ｎｂを用いた発信要求メッセージ（Invite）を生成し（ステップ１１２）、網Ｉ／Ｆ部１１からＩＰ電話網ＮＷへ送信する（ステップ１１３）。
【００２８】
これに応じて、呼制御サーバ３０は、ＩＰ電話網ＮＷから受信した発信要求メッセージ（Invite）に含まれる発側電話番号Ｎｂが登録されているか確認し、Ｎｂが未登録であるため（ステップ１１４）、発信拒否メッセージ（403Forbidden）を返送する（ステップ１１５）。
【００２９】
呼制御処理部１４は、呼制御サーバ３０から返送された発信拒否メッセージ（403Forbidden）に応じて、発側電話番号Ｎｂに誤りがあると判定し、記憶部１５から契約電話番号Ｎｃを取得し（ステップ１２０）、このＮｃで発側電話番号を補完した発信要求メッセージ（Invite）を生成し（ステップ１２１）、網Ｉ／Ｆ部１１からＩＰ電話網ＮＷへ送信する（ステップ１２２）。
【００３０】
これに応じて、呼制御サーバ３０は、ＩＰ電話網ＮＷから受信した発信要求メッセージ（Invite）に含まれる発側電話番号Ｎｃが登録されているか確認し、Ｎｃの登録が確認されたため（ステップ１２３）、この発信要求メッセージ（Invite）で指定された発信先電話番号に対する発信処理を行った後（ステップ１２４）、呼出中メッセージ（180Ringing）を返送する（ステップ１２５）。
【００３１】
呼制御処理部１４は、呼制御サーバ３０から返送された呼出中メッセージ（180Ringing）に応じて、電話制御装置２１に呼出中メッセージ（180Ringing）を送信する（ステップ１２６）。
この後、相手電話端末（図示せず）での応答操作に応じた呼制御サーバ３０からの応答メッセージに応じて、ＩＰ電話網ＮＷおよびＶｏＩＰゲートウェイ装置１０を介した、相手電話端末と電話端末２２との間の音声通話が開始される。
【００３２】
この後、呼制御処理部１４が、契約電話番号Ｎｃによる発側電話番号の補完を実行した旨をログデータとして記録し、あるいは補完を実行した旨のメッセージを予め設定されている管理者へ送信することにより、管理者が発側電話番号の設定誤りを訂正することになる。
【００３３】
［第１の実施の形態の効果］
このように、本実施の形態は、呼制御処理部１４が、電話システム２０からの発信要求に応じて、当該発信要求で指定された発側電話番号Ｎｂを用いた発信要求メッセージをＩＰ電話網ＮＷへ送信し、この発信要求メッセージに応じてＩＰ電話網ＮＷから発信拒否メッセージが返送された場合には、記憶部１５から取得した契約電話番号Ｎｃで発側電話番号Ｎｂを補完した発信要求メッセージを生成してＩＰ電話網ＮＷへ送信するようにしたものである。
【００３４】
これにより、電話システム２０で誤って設定された発側電話番号Ｎｂが、ＶｏＩＰゲートウェイ装置１０により契約電話番号Ｎｃで自動的に補完された後、発信要求メッセージがＩＰ電話網ＮＷへ送信さることになる。このため、電話システム２０で誤った発側電話番号Ｎｂが設定されている場合でも、応急的に発信することが可能となる。
【００３５】
［第２の実施の形態］
次に、本発明の第２の実施の形態にかかるＶｏＩＰゲートウェイ装置１０について説明する。
第１の実施の形態では、ＩＰ電話網ＮＷから発信拒否メッセージが返送されるごとに、契約電話番号Ｎｃで発側電話番号Ｎｂを補完した発信要求メッセージを生成してＩＰ電話網ＮＷへ送信する場合について説明した。本実施の形態では、一度補完した発側電話番号Ｎｂは自動的に補完する場合について説明する。
【００３６】
本実施の形態において、呼制御処理部１４は、契約電話番号Ｎｃで補完した発側電話番号Ｎｂを誤り発側電話番号として記憶部１５に登録する機能（第２の処理部１４Ｂ）と、新たな発信要求メッセージの発側電話番号Ｎｂが記憶部１５に誤り発側電話番号として登録されている場合には、契約電話番号Ｎｃで発側電話番号Ｎｂを補完した発信要求メッセージを生成してＩＰ電話網ＮＷへ送信する機能（第３の処理部１４Ｃ）とを有している。
【００３７】
これにより、記憶部１５に登録された誤り発側電話番号が発信要求メッセージで使用されている場合には、契約電話番号Ｎｃで発側電話番号Ｎｂを補完した発信要求メッセージが生成されてＩＰ電話網ＮＷへ送信される。
したがって、ＩＰ電話網ＮＷから発信拒否メッセージを待つことなく、誤り発側電話番号が契約電話番号Ｎｃで自動補完されることになり、迅速に応急処置を行うことができる。
【００３８】
［第３の実施の形態］
次に、本発明の第３の実施の形態にかかるＶｏＩＰゲートウェイ装置１０について説明する。
本実施の形態では、契約電話番号で誤り発側電話番号を補完した際における、発番号の通知拒否について説明する。
【００３９】
契約電話番号で誤り発側電話番号を補完した場合、契約電話番号が発側電話番号として相手電話端末に通知されることになるが、実際には発信要求元の電話端末２２と契約電話番号とが対応しているわけではない。このため、相手電話端末において、着信履歴として記録された契約電話番号に対する発信操作が行われても、発信要求元の電話端末２２に着信が通知されることはない。
【００４０】
本実施の形態において、呼制御処理部１４は、契約電話番号で誤り発側電話番号を補完した発信要求メッセージを生成する際、発番号の通知不可を発信要求メッセージで指定する機能を有している。
これにより、契約電話番号で誤り発側電話番号を補完した場合には、相手電話端末に契約電話番号が発番号として通知されなくなるため、契約電話番号が相手電話端末の着信履歴として記録されることはない。これにより、相手電話端末での着信履歴発信に起因する上記不具合を回避することができる。
【００４１】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【００４２】
以上で説明した各実施の形態において、誤り発側電話番号の補完を適用するか否かを示す設定情報を、記憶部１５に登録するようにしてもよく、第２の実施の形態において、自動補完を適用するか否かを示す設定情報を、記憶部１５に登録するようにしてもよく、さらには、第３の実施の形態において、発番号の通知可否を示す設定情報を、記憶部１５に登録するようにしてもよい。これにより、電話システム２０の利用者の意図に応じた発信制御を実現することができる。
【００４３】
また、第２の実施の形態において、誤り発側電話番号を記憶部１５に登録する際、フラッシュメモリなどの不揮発性メモリに登録するようにしてもよい。これにより、ＶｏＩＰゲートウェイ装置１０が再起動された場合でも、それまでに対応した誤り発側電話番号に対して自動補完することができる。
【符号の説明】
【００４４】
１０…ＶｏＩＰゲートウェイ装置、１１…網Ｉ／Ｆ部、１２…専用Ｉ／Ｆ部、１３…転送処理部、１４…呼制御処理部、１５…記憶部、２０…電話システム、２１…電話制御装置、２２…電話端末、３０…呼制御サーバ、ＮＷ…ＩＰ電話網、Ｌ１，Ｌ２…通信回線。
【図１】
2018166251.tif 000003
【図２】
2018166251.tif 000004